(57)【特許請求の範囲】
【請求項１】
横断面形状が矩形で、長辺と短辺と、曲率半径Ｒｃのコーナー部とを有する導体の外周面上に、熱可塑性樹脂からなる絶縁被覆層を有する絶縁電線であって、
前記導体の横断面の長辺の、前記導体の軸線方向に連続する面に被覆された前記絶縁被覆層の厚さｔ１（μｍ）および前記導体の横断面の短辺の、前記導体の軸線方向に連続する面に被覆された前記絶縁被覆層の厚さｔ２（μｍ）ならびに前記絶縁被覆層のコーナー部の厚さｔ３（μｍ）が下記式（１）の関係にあり、
式（１）        ｔ３／｛（ｔ１＋ｔ２）／２｝≧１．２
前記ｔ１（μｍ）およびｔ２（μｍ）が各々独立に２０μｍ以上５０μｍ以下であり、
かつ、前記絶縁電線断面積Ｓｗ（ｍｍ２）に対する前記導体断面積Ｓｃ（ｍｍ２）の比の値が下記式（２）の関係にあることを特徴とする絶縁電線。
式（２）        １．０＞Ｓｃ／Ｓｗ≧０．８
【請求項２】
前記導体の横断面の長辺の長さｃ１（ｍｍ）が４．５ｍｍ以下、短辺の長さｃ２（ｍｍ）が３．５ｍｍ以下および曲率半径Ｒｃ（ｍｍ）が０．６０ｍｍ以下であって、
前記ｔ１（μｍ）およびｃ２（ｍｍ）、ならびに、ｔ２（μｍ）およびｃ１（ｍｍ）が、各々下記式（３ａ）および（３ｂ）の関係にあることを特徴とする請求項１に記載の絶縁電線。
式（３ａ）        ０＜ｔ１／（ｃ２×１０００）≦０．０２
式（３ｂ）        ０＜ｔ２／（ｃ１×１０００）≦０．０２
【請求項３】
前記熱可塑性樹脂が結晶性樹脂であって、かつ２３℃での曲げ弾性率が２，０００ＭＰａ以上であることを特徴とする請求項１または２に記載の絶縁電線。
【請求項４】
前記熱可塑性樹脂が、ポリエーテルエーテルケトン、変性ポリエーテルエーテルケトン、ポリエーテルケトンケトン、ポリエーテルケトン、ポリエーテルケトンエーテルケトンケトンおよびポリフェニレンスルフィドからなる群から選択されることを特徴とする請求項１〜３のいずれか１項に記載の絶縁電線。
【請求項５】
請求項１〜４のいずれか１項に記載の絶縁電線を巻線加工してなるコイル。
【請求項６】
請求項５に記載のコイルを用いてなる電子・電気機器。
【発明の詳細な説明】
【技術分野】
【０００１】
本発明は、耐曲げ加工性に優れる絶縁電線、それを用いたコイルおよび電子・電気機器に関する。
【背景技術】
【０００２】
近年の電子もしくは電気機器（以下、単に電気機器ということがある）では各種性能、例えば耐熱性、機械的特性、化学的特性、電気的特性等を従来より一段と高度に上げることにより信頼性を高めたものが要求されるようになってきている。このような中で宇宙用電気機器、航空機用電気機器、原子力用電気機器、エネルギー用電気機器、自動車用電気機器用のマグネット電線として用いられるエナメル線などの絶縁電線には、優れた耐摩耗性、耐熱老化特性、耐溶剤性が要求されるようになってきている。
【０００３】
また、モーターや変圧器に代表される電気機器は近年、機器の小型化及び高性能化が進展している。そこで、絶縁電線を巻線加工（コイル加工）して、電線を非常に狭い部分へ押しこんで使用する様な使い方が多く見られるようになった。具体的には、絶縁電線をコイル加工した巻線をステータースロット中に何本入れられるかにより、そのモーターなどの回転機の性能が決定するといっても過言ではない。その結果、ステータースロット断面積に対する導体の断面積の比率（占積率）の向上に対する要求が高まっている。
【０００４】
占積率を向上させる手段として、近年では導体の断面形状が四角形（正方形や長方形）に類似した平角線を使用することが行われている。
しかし、平角線の使用は、占積率の向上には劇的な効果を示す一方、断面平角のコーナー部がコイル加工等の曲げ加工に対して極端に弱い。そのため、強い圧力をかけての加工によって皮膜が割れてしまう問題がある。特にこのコーナー部の曲率半径が小さいほどこの曲げ加工による皮膜の割れが発生しやすいことがわかっている。
【０００５】
平角線を用いた絶縁電線としては、例えば、特許文献１には、絶縁皮膜のコーナー部と辺部における厚さおよび誘電率が所定の関係にあることで、高い部分放電開始電圧を有し、コーナー部の絶縁性を向上させた絶縁電線が提案されている。しかし、部分放電開始電圧を高くするためには、絶縁皮膜を厚く設ける必要があり、結果として占積率が低くなってしまう。
また、特許文献２には、絶縁性皮膜の断面形状を湾曲させることにより、絶縁電線間の空隙を抑制し、占積率を向上させた絶縁電線が記載されている。
【先行技術文献】
【特許文献】
【０００６】
【特許文献１】特許第５１９６５３２号公報
【特許文献２】特開２０１２−９０４４１号公報
【発明の概要】
【発明が解決しようとする課題】
【０００７】
モーターとして使用される巻線は、モーター製造時に強い曲げ加工力を加えられる。これに加え小型化のために絶縁皮膜を薄くした場合には、コーナー部分が擦れた場合に皮膜が破れやすい。
また、今後更なる小型化、高占積率化は必至であり、導体の曲率半径を一層小さくしていくことが要求される。
【０００８】
したがって、本発明は、絶縁被覆層を薄くすることにより高占積率を有し、かつエッジワイズおよびフラットワイズ曲げ加工性ならびに伸張後の絶縁破壊強度にも優れる絶縁電線を提供することを目的とする。
また、本発明は、上記の優れた性能を有する絶縁電線を用いることにより、モーター等の製造において、曲げ加工による絶縁被覆層の割れの発生を防止し、高占積率で、曲げ加工後も絶縁破壊電圧の維持に優れる、小型化および高性能化が可能なコイルおよび電子もしくは電気機器を提供することを目的とする。
【課題を解決するための手段】
【０００９】
本発明者らは、エッジ面を曲げるエッジワイズ曲げ加工性およびフラット面を曲げるフラットワイズ曲げ加工性に着目し、さらに検討を重ねたところ、コーナー部とエッジ面およびフラット面の厚さが特定の関係を有し、エッジ面およびフラット面が特定の厚さを有する絶縁被覆層を用いることで、絶縁電線のエッジワイズおよびフラットワイズ曲げ加工性が向上し、伸張後の絶縁破壊強度にも優れることを見出した。本発明は、これらの知見に基づき、なされたものである。
【００１０】
ここで、「エッジ面」とは平角線の横断面の短辺が軸線方向に連続して形成する面を、「フラット面」は平角線の横断面の長辺が軸線方向に連続して形成する面をそれぞれ意味する。
【００１１】
すなわち、本発明の上記課題は、以下の手段によって達成された。
（１）横断面形状が矩形で、長辺と短辺と、曲率半径Ｒｃのコーナー部とを有する導体の外周面上に、熱可塑性樹脂からなる絶縁被覆層を有する絶縁電線であって、
前記導体の横断面の長辺の、前記導体の軸線方向に連続する面に被覆された前記絶縁被覆層の厚さｔ１（μｍ）および前記導体の横断面の短辺の、前記導体の軸線方向に連続する面に被覆された前記絶縁被覆層の厚さｔ２（μｍ）ならびに前記絶縁被覆層のコーナー部の厚さｔ３（μｍ）が下記式（１）の関係にあり、
【００１２】
式（１）        ｔ３／｛（ｔ１＋ｔ２）／２｝≧１．２
【００１３】
前記ｔ１（μｍ）およびｔ２（μｍ）が各々独立に２０μｍ以上５０μｍ以下であり、
かつ、前記絶縁電線断面積Ｓｗ（ｍｍ２）に対する前記導体断面積Ｓｃ（ｍｍ２）の比の値が下記式（２）の関係にあることを特徴とする絶縁電線。
【００１４】
式（２）        １．０＞Ｓｃ／Ｓｗ≧０．８
【００１５】
（２）前記導体の横断面の長辺の長さｃ１（ｍｍ）が４．５ｍｍ以下、短辺の長さｃ２（ｍｍ）が３．５ｍｍ以下および曲率半径Ｒｃ（ｍｍ）が０．６０ｍｍ以下であって、
前記ｔ１（μｍ）およびｃ２（ｍｍ）、ならびに、ｔ２（μｍ）およびｃ１（ｍｍ）が、各々下記式（３ａ）および（３ｂ）の関係にあることを特徴とする（１）に記載の絶縁電線。
【００１６】
式（３ａ）        ０＜ｔ１／（ｃ２×１０００）≦０．０２
式（３ｂ）        ０＜ｔ２／（ｃ１×１０００）≦０．０２
【００１７】
（３）前記熱可塑性樹脂が結晶性樹脂であって、かつ２３℃での曲げ弾性率が２，０００ＭＰａ以上であることを特徴とする（１）または（２）に記載の絶縁電線。
（４）前記熱可塑性樹脂が、ポリエーテルエーテルケトン、変性ポリエーテルエーテルケトン、ポリエーテルケトンケトン、ポリエーテルケトン、ポリエーテルケトンエーテルケトンケトンおよびポリフェニレンスルフィドからなる群から選択されることを特徴とする（１）〜（３）のいずれか１項に記載の絶縁電線。
（５）（１）〜（４）のいずれか１項に記載の絶縁電線を巻線加工してなるコイル。
（６）（５）に記載のコイルを用いてなる電子・電気機器。
【００１８】
本発明の説明において、「〜」を用いて表される数値範囲は、「〜」の前後に記載される数値を下限値及び上限値として含む範囲を意味する。
また、本発明の絶縁電線において、導体の「辺」は曲率半径Ｒｃを有する導体のコーナー部以外の辺の部分を意味する。
本発明の絶縁電線において、また、「導体のコーナー部」とは、曲率半径Ｒｃで形成された導体の曲部を意味する。
また、本発明の絶縁電線において、矩形とは、コーナー部に曲率半径Ｒｃを有する略長方形を意味する。
【発明の効果】
【００１９】
本発明の絶縁電線は、高占積率を有し、かつエッジワイズおよびフラットワイズ曲げ加工性ならびに伸張後の絶縁破壊強度にも優れる。
また、本発明のコイルは、用いる絶縁電線が、エッジワイズおよびフラットワイズ曲げ加工性に優れるため、巻線加工時の曲げ加工に起因する絶縁被覆層の割れ発生が防止される。さらに、本発明のコイルを用いた電気機器は、占積率が高く、伸張後も導体のコーナー部の絶縁被覆層の厚さは薄くならない。したがって、電子もしくは電気機器の小型化および高性能化が可能になる。
【図面の簡単な説明】
【００２０】
【図１】本発明の絶縁電線の好ましい実施態様を示す概略断面図である。
【図２】本発明の絶縁電線の辺部とコーナー部を示す模式図である。
【図３】本発明の絶縁電線の別の好ましい実施態様を示す概略断面図である。
【発明を実施するための形態】
【００２１】
＜＜絶縁電線＞＞
本発明の絶縁電線は、断面形状が矩形であって、曲率半径Ｒｃのコーナー部を有する導体の外周上に、熱可塑性樹脂からなる絶縁被覆層を有する。
さらに、導体断面の長辺の辺部に被覆された絶縁被覆層の厚さｔ１（μｍ）および短辺の辺部に被覆された絶縁被覆層の厚さｔ２（μｍ）ならびに絶縁被覆層のコーナー部の厚さｔ３（μｍ）が下記式（１）の関係にあり、
【００２２】
式（１）        ｔ３／｛（ｔ１＋ｔ２）／２｝≧１．２
【００２３】
ｔ１（μｍ）およびｔ２（μｍ）が各々独立に２０μｍ以上５０μｍ以下であり、
かつ、絶縁電線断面積Ｓｗ（ｍｍ２）に対する導体断面積Ｓｃ（ｍｍ２）の比が下記式（２）の関係にある。
【００２４】
式（２）        １．０＞Ｓｃ／Ｓｗ≧０．８
【００２５】
本発明において、層を構成する樹脂および含有する添加物が全く同じ層で隣接して積層した場合は、これらを合わせて１つの層とする。
また、同一樹脂で構成されていても添加物の種類や配合量が異なる層を積層した場合は、隣接しているか否かに関わらず、それぞれの層を別層とする。
【００２６】
以下、本発明の好ましい絶縁電線を、図面を参照して、説明するが、本発明はこれに限定されない。
図１に断面図を示した本発明の好ましい形態の絶縁電線１は、導体１１と、導体１１の外周上に設けられた絶縁被覆層１２を有してなる。また、図２の模式図に示したように、導体の４隅は、曲率半径Ｒｃのコーナー部を有し、絶縁被覆層１２は、長辺の辺部の厚さｔ１（μｍ）、短辺の辺部の厚さｔ２（μｍ）およびコーナー部の厚さｔ３（μｍ）を有する。ここで、絶縁被覆層のコーナー部とは、導体のコーナー部を被覆する絶縁被覆層の部位を意味する。
【００２７】
ここで、絶縁被覆層の厚さは、走査型電子顕微鏡（ＳＥＭ）あるいは市販のマイクロスコープ等で測定ができる。観察倍率は絶縁被覆層の厚さに応じて適宜決定できるが、概ね４００倍以上が好ましい。
絶縁被覆層の辺部の厚さであるｔ１（μｍ）およびｔ２（μｍ）は均一であることが望ましい。絶縁被覆層の辺部の厚さが均一な場合、ｔ１とする測定箇所は適宜決定できる。  なお、厚さにばらつきがある場合は平均値を用いるのが好ましい。この場合、均等間隔で５点以上を測定し、平均値を算出するのが望ましい。
絶縁被覆層のコーナー部の厚さｔ３（μｍ）は必ずしも均一である必要はなく、コーナー部の頂点の厚さが最大になっていることが好ましい。本発明におけるｔ３（μｍ）は、図２に示すように、導体のコーナー部の中心と頂点を結んだ直線上における絶縁被覆層の厚さと定義する。
本発明の絶縁電線においては、２つの長辺の辺部、２つの短辺の辺部、４つのコーナー部が存在するため、各々の辺部およびコーナー部の絶縁被覆層の厚さが異なる場合は、それぞれの平均値をｔ１（μｍ）、ｔ２（μｍ）、ｔ３（μｍ）とする。
【００２８】
また、絶縁被覆層のコーナー部の厚さｔ３（μｍ）が、導体断面の長辺の辺部に被覆された絶縁被覆層の厚さｔ１（μｍ）および短辺の辺部に被覆された絶縁被覆層の厚さｔ２（μｍ）の平均厚さに対して、下記式（１）の関係にあり、
【００２９】
式（１）        ｔ３／｛（ｔ１＋ｔ２）／２｝≧１．２
【００３０】
ｔ１（μｍ）およびｔ２（μｍ）が各々独立に２０μｍ以上５０μｍ以下であり、
かつ、図１の断面図に示した絶縁電線１の断面積Ｓｗ（ｍｍ２）に対する導体１１の断面積Ｓｃ（ｍｍ２）が下記式（２）の関係にあることで、曲げ加工性に優れ、モータ成型した際に小型化可能な絶縁電線を得ることができる。
【００３１】
式（２）        １．０＞Ｓｃ／Ｓｗ≧０．８
【００３２】
図３に断面図を示した本発明の別の好ましい形態の絶縁電線２は、導体１１と絶縁被覆層１２との間に、内層１３を設けたものである。
なお、絶縁電線２においては、絶縁被覆層１２および内層１３の厚さの合計を、それぞれ長辺の辺部の厚さｔ１（μｍ）、短辺の辺部の厚さｔ２（μｍ）およびコーナー部の厚さｔ３（μｍ）とする。
【００３３】
以下、本発明の絶縁電線について、導体から順に説明する。
【００３４】
＜導体＞
本発明における導体は、断面形状が矩形（四角とも称される）であって、曲率半径Ｒｃのコーナー部を有する。
その材質は導電性を有するものであればよく、例えば銅、銅合金、アルミニウム、アルミニウム合金等が挙げられるがこれらに限定されるものではない。
導体が銅の場合、例えば、導体を溶接する際に、含有酸素に起因する溶接部分におけるボイド発生を防止する観点から、好ましくは銅９９．９６％以上で、酸素含有量が好ましくは３０ｐｐｍ以下、より好ましくは２０ｐｐｍ以下の低酸素銅または無酸素銅が好ましい。
導体がアルミニウムの場合、必要機械強度を考慮したうえで、用途に応じて様々なアルミニウム合金を用いることができる。例えば回転電機のような用途に対しては、高い電流値を得られる純度９９．００％以上の純アルミニウムが好ましい。
【００３５】
本発明における導体は断面形状が矩形であるため、断面形状が円形のものと比較して、ステータースロットに対する占積率が高い。
本発明における導体は、コーナー部からの部分放電を抑制するという点から、例えば、図２に示すように、４隅のコーナー部には面取り（曲率半径Ｒｃ）を設けた形状を有する。
後述の占積率の観点から、曲率半径Ｒｃは、０．６０ｍｍ以下が好ましく、０．１０ｍｍ〜０．４０ｍｍの範囲がより好ましい。
【００３６】
導体のサイズは絶縁電線、コイルの用途に応じて決めるものであるため特に制限はない。ただし、導体断面の一辺の長さは、幅（長辺）ｃ１は４．７ｍｍ以下が好ましく、１．０ｍｍ〜４．７ｍｍがより好ましく１．４ｍｍ〜４．５ｍｍがさらに好ましい。厚み（短辺）ｃ２は３．５ｍｍ以下が好ましく、０．４ｍｍ〜３．０ｍｍがより好ましく、０．５ｍｍ〜２．５ｍｍがさらに好ましい。
また、断面形状は正方形よりも、長方形が一般的である。
導体の断面形状の大きさは、特に限定はない。ただし、幅（長辺）の長さｃ１に対する厚み（短辺）の長さｃ２の比は、ｃ１：ｃ２＝１：１〜１：４が好ましい。
なお、本明細書において使用する導体断面の長辺および短辺の長さとは、図２に示すように、コーナー部の面取りが行われる前の長方形における長辺および短辺に相当する。
【００３７】
（占積率）
本明細書において占積率とは、下記式で算出される導体占積率であり、絶縁電線１または２の断面積Ｓｗ（ｍｍ２）に対する導体１１の断面積Ｓｃ（ｍｍ２）の比を意味する。
【００３８】
［導体占積率］＝Ｓｃ／Ｓｗ
【００３９】
この導体占積率が高いことで、コイルを製造したときの占積率を向上させ、高性能で小型化可能なモーターを製造できる。
【００４０】
＜絶縁被覆層＞
本発明の絶縁電線は、導体の外周上に、熱可塑性樹脂からなる絶縁被覆層を有する。
【００４１】
本発明における絶縁被覆層に用いる熱可塑性樹脂は、ポリアミド（ＰＡ）（ナイロン）、ポリアセタール（ＰＯＭ）、ポリカーボネート（ＰＣ）、ポリフェニレンエーテル（変性ポリフェニレンエーテルを含む）、ポリブチレンテレフタレート（ＰＢＴ）、ポリエチレンテレフタレート（ＰＥＴ）、ポリエチレンナフタレート（ＰＥＮ）、超高分子量ポリエチレン等の汎用エンジニアリングプラスチックの他、ポリスルホン（ＰＳＦ）、ポリエーテルスルホン（ＰＥＳ）、ポリフェニレンスルフィド（ＰＰＳ）、ポリアリレート（Ｕポリマー）、ポリアミドイミド、ポリエーテルケトン（ＰＥＫ）、ポリアリールエーテルケトン（ＰＡＥＫ）（変性ポリエーテルエーテルケトン（変性ＰＥＥＫ）を含む）、テトラフルオロエチレン・エチレン共重合体（ＥＴＦＥ）、ポリエーテルエーテルケトン（ＰＥＥＫ）、テトラフルオロエチレン・パーフルオロアルキルビニルエーテル共重合体（ＰＦＡ）、ポリテトラフルオロエチレン（ＰＴＦＥ）、熱可塑性ポリイミド樹脂（ＴＰＩ）、ポリアミドイミド（ＰＡＩ）、液晶ポリエステル等のスーパーエンジニアリングプラスチック、さらに、ポリエチレンテレフタレート（ＰＥＴ）、ポリエチレンナフタレート（ＰＥＮ）をベース樹脂とするポリマーアロイ、ＡＢＳ／ポリカーボネート、ナイロン６，６、芳香族ポリアミド樹脂（芳香族ＰＡ）、ポリフェニレンエーテル／ナイロン６，６、ポリフェニレンエーテル／ポリスチレン、ポリブチレンテレフタレート／ポリカーボネート等の前記エンジニアリングプラスチックを含むポリマーアロイが挙げられる。
【００４２】
これら樹脂のうち結晶性熱可塑性樹脂は、例えば、ポリアミド（ＰＡ）、ポリアセタール（ＰＯＭ）、ポリブチレンテレフタレート（ＰＢＴ）、ポリエチレンテレフタレート（ＰＥＴ）、ポリフェニレンスルフィド（ＰＰＳ）、超高分子量ポリエチレン等の汎用エンジニアリングプラスチック、ポリエーテルエーテルケトン（ＰＥＥＫ）、ポリエーテルケトン（ＰＥＫ）、ポリアリールエーテルケトン（ＰＡＥＫ）（変性ＰＥＥＫを含む）、ポリエーテルケトンケトン（ＰＥＫＫ）、ポリエーテルケトンエーテルケトンケトン（ＰＥＫＥＫＫ）、熱可塑性ポリイミド樹脂（ＴＰＩ）が挙げられ、好ましい。
これらの樹脂のなかでも、ＰＥＥＫ、変性ＰＥＥＫ、ＰＥＫＫ、ＰＥＫ、ＰＥＫＥＫＫおよびＰＰＳからなる群から選択される樹脂が好ましく、ＰＥＥＫ、変性ＰＥＥＫ、ＰＥＫＫ、ＰＥＫおよびＰＥＫＥＫＫからなる群から選択される樹脂がより好ましく、ＰＥＥＫまたは変性ＰＥＥＫがさらに好ましい。これらの熱可塑性樹脂は１種単独で用いても良く、また、２種以上を組み合わせて用いてもよい。また、上記に示した樹脂名によって使用樹脂が限定されるものではなく、先に列挙した樹脂以外にも、それらの樹脂より性能的に優れる樹脂であれば使用可能であるのは勿論である。
【００４３】
具体的には、ポリエーテルエーテルケトン（ＰＥＥＫ、２３℃での曲げ弾性率：３，５００〜４，５００ＭＰａ）、変性ポリエーテルエーテルケトン（変性ＰＥＥＫ、２３℃での曲げ弾性率：２，８００〜４，４００ＭＰａ）、ポリエーテルケトンケトン（ＰＥＫＫ、２３℃での曲げ弾性率：３８００〜４，５００ＭＰａ）、ポリエーテルケトン（ＰＥＫ、２３℃での曲げ弾性率：４，０００〜５，０００ＭＰａ）、ポリエーテルケトンエーテルケトンケトン（ＰＥＫＥＫＫ、２３℃での曲げ弾性率：４，０００〜４，６００ＭＰａ）、熱可塑性ポリイミド樹脂（ＴＰＩ、２３℃での曲げ弾性率：２，５００〜３，０００ＭＰａ）およびポリフェニレンスルフィド（ＰＰＳ、２３℃での曲げ弾性率：３，５００〜４，２００ＭＰａ）などが挙げられる。
【００４４】
２３℃での曲げ弾性率が１，０００ＭＰａ未満の場合には変形する効果は高くなる。
２３℃での曲げ弾性率が８００ＭＰａ以上の場合には熱可塑性の形状可変の能力を損なうことなく、さらに耐摩耗特性を良好なレベルで維持することが可能である。
熱可塑性樹脂の２３℃における曲げ弾性率は、２，０００ＭＰａ以上が好ましく、３，０００ＭＰａ以上がより好ましく、３，５００ＭＰａ以上がさらに好ましい。
この曲げ弾性率の上限値は特に限定されない。なお、導体と絶縁被覆層の間に、熱硬化性樹脂からなるワニスを焼き付けてなる内層を設ける場合には、絶縁被覆層を形成する熱可塑性樹脂の２３℃での曲げ弾性率が、内層を形成する熱硬化性樹脂の２３℃での曲げ弾性率を大幅に上回らない限り、外側の熱可塑性樹脂への応力の集中が抑えられ、エッジワイズ曲げでの割れの発生を抑制できる点から、５，０００ＭＰａ以下が好ましい。
よって、本発明における熱可塑性樹脂は、結晶性樹脂であって、かつ２３℃での曲げ弾性率が２，０００ＭＰａ以上であることが好ましい。
【００４５】
熱可塑性樹脂の具体例としては、例えば、ＰＥＥＫとしてビクトレックスジャパン社製のＰＥＥＫ４５０Ｇ（商品名、２３℃での曲げ弾性率：４，２００ＭＰａ）、変性ＰＥＥＫとしてソルベイ社製のアバスパイアＡＶ−６５０（商品名、２３℃での曲げ弾性率：３，７００ＭＰａ）またはＡＶ−６５１（商品名、２３℃での曲げ弾性率：３，１００ＭＰａ）、ＰＥＫＫとしてサイテックインダストリーズ社製のＰＥＫＫ２３℃での曲げ弾性率：４，５００ＭＰａ）、ＰＥＫとしてビクトレックスジャパン社製のＨＴ-Ｇ２２（商品名、２３℃での曲げ弾性率：４，２００ＭＰａ）、ＰＥＫＥＫＫとしてビクトレックスジャパン社製のＳＴ-ＳＴＧ４５（商品名、２３℃での曲げ弾性率：４，１００ＭＰａ）、ＴＰＩとして三井化学社製のオーラムＰＬ４５０Ｃ（商品名、２３℃での曲げ弾性率：２，９００ＭＰａ）、ＰＰＳとしてポリプラスチックス社製のジュラファイド０２２０Ａ９（商品名、２３℃での曲げ弾性率：３，８００ＭＰａ）またはＤＩＣ社製のＰＰＳ  ＦＺ−２１００（商品名、２３℃での曲げ弾性率：３，８００ＭＰａ）等の市販品を挙げることができる。
【００４６】
また、本発明における絶縁被覆層は、導体断面の長辺の辺部に被覆された絶縁被覆層の厚さｔ１（以下、絶縁被覆層の長辺厚さｔ１とも称す）および短辺の辺部に被覆された絶縁被覆層の厚さｔ２（以下、絶縁被覆層の短辺厚さｔ２とも称す）ならびに絶縁被覆層のコーナー部の厚さｔ３が、下記式（１）の関係にある。
【００４７】
式（１）        ｔ３／｛（ｔ１＋ｔ２）／２｝≧１．２
【００４８】
上記式（１）の関係にあることで、伸張後における絶縁電線の絶縁破壊電圧を維持することが可能である。
なお、機構については定かではないものの、伸張前と伸張後の断面形状の観察により、絶縁被覆層において膜厚の薄い部分がより薄くなる現象が発生しており、最も電解集中するコーナー部の絶縁被覆層の膜厚が、伸張後も維持されることにより、伸張後の絶縁破壊電圧が維持されていると考えられる。
【００４９】
上記式（１）における左辺：ｔ３／｛（ｔ１＋ｔ２）／２｝の値は、伸張による膜厚減少を抑える観点から１．２以上であり、１．５以上が好ましく、１．８以上がより好ましく、２．１以上がさらに好ましい。なお、上限値は、絶縁皮膜の形状によるモーターに組んだときの整列しやすさの点から２．５以下が好ましい。
【００５０】
さらに、本発明における絶縁被覆層の長辺厚さｔ１および短辺厚さｔ２は、各々独立して２０μｍ以上５０μｍ以下であり、２５μｍ以上４０μｍ以下が好ましく、２５μｍ以上３５μｍ以下がより好ましい。
なお、厚さｔ１およびｔ２にばらつきがある場合、それぞれにおける最小値と最大値の厚さの差は、１０μｍ以下が好ましく、５μｍ以下がより好ましく、３μｍ以下がさらに好ましい。
絶縁被覆層の辺部の厚さがこの範囲内にあることで、絶縁被覆層の厚さは薄く、占積率の高い絶縁電線を得ることができる。
【００５１】
また、絶縁被覆層の長辺厚さｔ１および短辺厚さｔ２は下記式（２ａ）および（２ｂ）の関係にあることが好ましい。
【００５２】
式（２ａ）        ０≦｜ｔ１−ｔ２｜／ｔ１≦０．２
式（２ｂ）        ０≦｜ｔ１−ｔ２｜／ｔ２≦０．２
【００５３】
上記式（２ａ）および（２ｂ）の関係にあることで、絶縁電線を伸張した際のコーナー部の絶縁被覆層の膜厚が効果的に維持され、伸張後の絶縁破壊電圧が維持される。
【００５４】
本発明における絶縁被覆層は、導体の外周上に、熱可塑性樹脂を押出被覆して設けることが好ましい。
熱可塑性樹脂を押出被覆して設けることにより、絶縁被覆層の厚さｔ１、ｔ２およびｔ３が上記式（１）の関係にあるよう任意の厚さに調節することができる。なお、熱可塑性樹脂は、後述の熱硬化性樹脂のようにワニスを塗布、焼き付けて、設けることもできる。
【００５５】
本発明の絶縁電線は、導体の外周上に、本発明における絶縁被覆層を単層設けることが好ましい。
これまでの絶縁電線では、密着力および伸張後の絶縁破壊電圧の向上のため、導体と絶縁被覆層との間にエナメル層を設ける必要があった。しかし、本発明では、絶縁被覆層の長辺厚さｔ１、短辺厚さｔ２およびコーナー部厚さｔ３が式（１）の関係にあるようにすることで、エナメル層を設けなくても、強い加工圧を加えても良好な密着力および伸張後の絶縁破壊電圧を有する絶縁電線が得られる。
導体上にエナメル層を設ける工程を省くことで絶縁電線の製造工程を簡略化できるため、導体の外周上に、単層の絶縁被覆層を直接有する、図１で示される絶縁電線１がより好ましい。
【００５６】
−導体と絶縁被覆層の関係−
本発明において、絶縁電線断面積Ｓｗに対する導体断面積Ｓｃの比は、下記式（３）の関係にある。
【００５７】
式（３）        １．０＞Ｓｃ／Ｓｗ≧０．８
【００５８】
なお、導体断面積Ｓｃおよび絶縁電線断面積Ｓｗは、走査型電子顕微鏡（ＳＥＭ）あるいは市販のマイクロスコープ等で測定ができる。観察倍率は絶縁被覆層の厚さに応じて適宜決定できるが、絶縁電線断面積Ｓｗは、概ね４００倍以上が好ましい。
上記式（３）の関係にあることで、高い占積率の絶縁電線を得ることができる。より優れたモーターの効率向上への効果を得る観点からは、Ｓｃ／Ｓｗの下限値は、０．８５以上が好ましく、０．９０以上がより好ましい。
【００５９】
導体断面の長辺の長さｃ１および短辺の長さｃ２ならびに絶縁被覆層の長辺厚さｔ１および短辺厚さｔ２が、下記式（４ａ）および（４ｂ）の関係にあることも好ましい。
【００６０】
式（４ａ）        ０＜ｔ１／ｃ２≦０．０２
式（４ｂ）        ０＜ｔ２／ｃ１≦０．０２
【００６１】
上記式（４ａ）および（４ｂ）の関係にあることで、エッジワイズおよびフラットワイズ曲げ加工性に優れた絶縁電線を得ることができる。
【００６２】
なお、より優れたエッジワイズおよびフラットワイズ曲げ加工性を得る観点からは、上記式（４ａ）および（４ｂ）の関係にあり、かつ、導体断面の長辺の長さｃ１が４．５ｍｍ以下、短辺の長さｃ２が３．５ｍｍ以下および曲率半径Ｒｃが０．６０ｍｍ以下であることがより好ましい。
【００６３】
２種以上の熱可塑性樹脂を混合して使用する場合は、例えば両者をポリマーアロイ化して相溶型の均一な混合物として使用するか、非相溶系のブレンドを、相溶化剤を用いて相溶状態を形成して使用することができる。
【００６４】
本発明において、特性に影響を及ぼさない範囲で、絶縁被覆層を得る原料に、後述の各種添加剤を含有していてもよい。
【００６５】
＜内層（Ｃ）＞
本発明においては、導体と絶縁被覆層との間に設けてもよい内層は、伸張後の絶縁破壊電圧の維持、良好な曲げ加工性を有するものであればどのような層であってもよく、例えばエナメル焼付け層が挙げられる。
【００６６】
絶縁電線の比誘電率に変化を及ばさず、本発明の特性である高い占積率、伸張後の絶縁破壊電圧の維持、良好な耐曲げ性を得る観点からは、内層の厚さは５μｍ以下が好ましく、３μｍ以下がより好ましく、２μｍ以下がさらに好ましい。
【００６７】
エナメル焼付け層は、樹脂ワニスを導体上に塗布、焼付けして形成したものであり、用いる樹脂ワニスは、熱硬化性樹脂を含有する。
【００６８】
熱硬化性樹脂は、導体に塗布し焼き付けて絶縁皮膜を形成できる熱硬化性樹脂であればよく、ポリイミド（ＰＩ）、ポリウレタン、ポリアミドイミド（ＰＡＩ）、熱硬化性ポリエステル、Ｈ種ポリエステル、ポリベンゾイミダゾール、ポリエステルイミド（ＰＥｓＩ）、ポリエーテルイミド（ＰＥＩ）、メラミン樹脂、エポキシ樹脂などを用いることができる。
本発明では、熱硬化性樹脂として、ポリイミド、ポリアミドイミド、ポリエーテルイミドおよびポリエステルイミドからなる群より選択される熱硬化性樹脂が好ましい。
【００６９】
ポリイミドは、特に制限はなく、全芳香族ポリイミドおよび熱硬化性芳香族ポリイミドなど、通常のポリイミドを用いることができる。例えば、市販品（商品名：Ｕイミド（ユニチカ（株）社製）、商品名：Ｕ−ワニス（宇部興産（株）社製））を用いるか、常法により、芳香族テトラカルボン酸二無水物と芳香族ジアミン類を極性溶媒中で反応させて得られるポリアミド酸溶液を用い、被覆する際の焼き付け時の加熱処理によってイミド化させることによって得られるものを用いることができる。
【００７０】
ポリアミドイミドは、熱硬化性のものであればよく、市販品（例えば、商品名：ＨＩ４０６（日立化成（株）社製）、商品名：ＨＣＩシリーズ（日立化成（株）社製））を用いるか、常法により、例えば極性溶媒中でトリカルボン酸無水物とジイソシアネート類を直接反応させて得たもの、または、極性溶媒中でトリカルボン酸無水物にジアミン類を先に反応させて、まずイミド結合を導入し、ついでジイソシアネート類でアミド化して得たものを用いることができる。なお、ポリアミドイミドは、他の樹脂に比べ熱伝導率が低く、絶縁破壊電圧が高く、焼付け硬化が可能なものである。
【００７１】
ポリエーテルイミドは、分子内にエーテル結合とイミド結合を有するポリマーであればよく、例えば、商品名：ウルテム１０００（ＳＡＢＩＣ社製）などの市販品を用いることができる。
また、ポリエーテルイミドは、例えば、芳香族テトラカルボン酸二無水物と分子内にエーテル結合を有する芳香族ジアミン類を極性溶媒中で反応させて得られるポリアミド酸溶液を用い、被覆する際の焼き付け時の加熱処理によってイミド化させることによって得られるものを用いることもできる。
【００７２】
ポリエステルイミドは、分子内にエステル結合とイミド結合を有するポリマーであって熱硬化性のものであればよく、例えば、商品名：ネオヒート８６００Ａ（東特塗料（株）社製）などの市販品を用いることができる。
また、ポリエステルイミドは、特に限定されないが、例えば、トリカルボン酸無水物とアミンからイミド結合を形成し、アルコールとカルボン酸またはそのアルキルエステルからエステル結合を形成し、そして、イミド結合の遊離酸基または無水基がエステル形成反応に加わることで得られるものを用いることができる。このようなポリエステルイミドは、例えば、トリカルボン酸無水物、ジカルボン酸化合物またはそのアルキルエステル、アルコール化合物およびジアミン化合物を公知の方法で反応させて得たものを用いることもできる。
【００７３】
熱硬化性樹脂は、１種のみを単独で使用してもよく、２種以上を併用してもよい。
また、熱硬化性樹脂被覆（Ａ）が複数の熱硬化性樹脂層からなる場合、各層で互いに異なった熱硬化性樹脂を用いても、異なった混合比率の熱硬化性樹脂を使用してもよい。
【００７４】
本発明に用いる樹脂ワニスは、特性に影響を及ぼさない範囲で、気泡化核剤、酸化防止剤、帯電防止剤、紫外線防止剤、光安定剤、蛍光増白剤、顔料、染料、相溶化剤、滑剤、強化剤、難燃剤、架橋剤、架橋助剤、可塑剤、増粘剤、減粘剤およびエラストマーなどの各種添加剤を含有してもよい。また、得られる絶縁電線に、これらの添加剤を含有する樹脂からなる層を積層してもよいし、これらの添加剤を含有する塗料をコーティングしてもよい。
【００７５】
樹脂ワニスは、熱硬化性樹脂層の弾性率を向上させるために、ガラスファイバーやカーボンナノチューブなど、大きなアスペクト比を有する粉体を塗料に添加して、焼き付けても良い。このようにすることで、加工時に線の流れ方向に粉体が整列し、曲げ方向に対して強化される。
【００７６】
樹脂ワニスは、熱硬化性樹脂をワニス化させるために有機溶媒等を含有する。有機溶媒としては、熱硬化性樹脂の反応を阻害しない限りは特に制限はなく、例えば、Ｎ−メチル−２−ピロリドン（ＮＭＰ）、Ｎ，Ｎ−ジメチルアセトアミド（ＤＭＡＣ）、Ｎ，Ｎ−ジメチルホルムアミド（ＤＭＦ）等のアミド系溶媒、Ｎ，Ｎ−ジメチルエチレンウレア、Ｎ，Ｎ−ジメチルプロピレンウレア、テトラメチル尿素等の尿素系溶媒、γ−ブチロラクトン、γ−カプロラクトン等のラクトン系溶媒、プロピレンカーボネート等のカーボネート系溶媒、メチルエチルケトン、メチルイソブチルケトン、シクロヘキサノン等のケトン系溶媒、酢酸エチル、酢酸ｎ−ブチル、ブチルセロソルブアセテート、ブチルカルビトールアセテート、エチルセロソルブアセテート、エチルカルビトールアセテート等のエステル系溶媒、ジグライム、トリグライム、テトラグライム等のグライム系溶媒、トルエン、キシレン、シクロヘキサン等の炭化水素系溶媒、クレゾール、フェノール、ハロゲン化フェノールなどのフェノール系溶媒、スルホラン等のスルホン系溶媒、ジメチルスルホキシド（ＤＭＳＯ）などが挙げられる。
【００７７】
これらのうち、高溶解性、高反応促進性等に着目すると、アミド系溶媒、尿素系溶媒が好ましく、加熱による架橋反応を阻害しやすい水素原子をもたない等の点で、Ｎ−メチル−２−ピロリドン、Ｎ，Ｎ−ジメチルアセトアミド、Ｎ，Ｎ−ジメチルエチレンウレア、Ｎ，Ｎ−ジメチルプロピレンウレア、テトラメチル尿素がより好ましく、Ｎ，Ｎ−ジメチルアセトアミド、Ｎ−メチル−２−ピロリドン、Ｎ，Ｎ−ジメチルホルムアミド、ジメチルスルホキシドが特に好ましい。
有機溶媒等は、１種のみを単独で使用してもよく、２種以上を併用してもよい。
【００７８】
＜絶縁電線の特性＞
本発明の絶縁電線は、占積率、エッジワイズおよびフラットワイズ曲げ加工性、伸張後の絶縁破壊電圧の維持特性に優れる。
【００７９】
［占積率］
占積率は、絶縁電線１または２の断面積Ｓｗ（ｍｍ２）に対する導体１１の断面積Ｓｃ（ｍｍ２）の比を意味する、導体占積率で評価する。
導体占積率が０．９０以上１．００未満の絶縁電線を、モーターの効率向上への効果が大きいとして「◎」、０．８５以上０．９０未満の絶縁電線を効果があるとして「○」、０．８０以上０．８５未満の絶縁電線を、効果は小さいものの効果があるとして「△」、０．８０未満の絶縁電線を、断面形状が円形の導体を用いた絶縁電線と比較して優位性がほとんどないものとして「×」とし、４段階で評価する。なお、「△」以上が合格レベルである。
【００８０】
［エッジワイズ曲げ加工性］
エッジワイズ曲げ試験はＪＩＳ  ３２１６−３に従って実施する。
なお、絶縁電線の曲げられる部分にフェザー剃刃Ｓ片刃（例えば、フェザー安全剃刀株式会社製）を用いて深さ５μｍの切込みを入れることで、より厳しい条件でのエッジワイズ曲げを実施する。切込みを入れた絶縁電線を、切込み部分が中心となるように直径１．５ｍｍのステンレス鋼製の棒に巻き付けることによって曲げて判断する。
絶縁被覆層が裂け、導体の面全体に進展した絶縁電線を「×」、絶縁被覆層に亀裂が進展したものの導体までは達していない絶縁電線を「△」、切込み部分も一緒に伸びて切込みが進展していない絶縁電線を「○」とし、３段階で評価する。なお、「△」以上が合格レベルである。
【００８１】
［フラットワイズ曲げ加工性］
フラットワイズ曲げ試験はエッジワイズ曲げ加工性の試験を応用して実施する。
なお、絶縁電線の曲げられる部分にフェザー剃刃Ｓ片刃（例えば、フェザー安全剃刀株式会社製）を用いて深さ５μｍの切込みを入れることで、より厳しい条件でのフラットワイズ曲げを実施する。切込みを入れた絶縁電線を、切込み部分が中心となるようにΦ１．５ｍｍのＳＵＳ製の棒に巻き付けることによって曲げて判断する。
絶縁被覆層が裂け、導体の面全体に進展した絶縁電線を「×」、絶縁被覆層に亀裂が進展したものの導体までは達していない絶縁電線を「△」、切込み部分も一緒に伸びて切込みが進展していない絶縁電線を「○」とし、３段階で評価する。なお、「△」以上が合格レベルである。
【００８２】
［伸張後絶縁破壊強度］
絶縁電線の耐電圧特性は、オートグラフ（例えば、島津製作所社製）を用いて伸張速度３００ｍｍ／ｍｉｎで２０％伸張し、絶縁破壊試験機を使用して、電圧を測定して評価する。
具体的には、絶縁電線の片側の端末を剥離した部分に接地電極を接続し、端末を剥離した絶縁電線の端からの長さが３００ｍｍの部分にアルミ箔を巻き、巻き付けたアルミ箔に高圧側電極を接続する。昇圧速度５００Ｖ／秒で昇圧して、１５ｍＡ以上の電流が流れたときの電圧を読み取る。ｎ＝５で実施し、その平均値で絶縁破壊電圧を評価する。この値について「長辺の合計皮膜厚さ」と「短辺の皮膜厚さ」の平均値で除することで絶縁破壊強度を算出する。
１００Ｖ／μｍ以上を「◎」、８０Ｖ／μｍ以上１００Ｖ／μｍ未満を「○」、６０Ｖ／μｍ以上８０Ｖ／μｍ未満を「△」、６０Ｖ／μｍ未満を「×」とし、４段階で評価する。なお、「△」以上が合格レベルである。
【００８３】
＜＜絶縁電線の製造方法＞＞
本発明の絶縁電線は、導体の外周上に、熱可塑性樹脂からなる絶縁被覆層を形成することで製造できる。
なお、導体と絶縁被覆層の間に内層を設ける場合には、導体上に内層を設けた後、絶縁被覆層を形成することで、本発明の絶縁電線を製造できる。
以下に、内層、絶縁被覆層の順に説明する。
【００８４】
内層は、例えば、熱硬化性樹脂を含有る樹脂ワニスを導体上に塗布し、焼き付けて形成される。樹脂ワニスを塗布する方法は、常法でよく、例えば、導体形状の相似形としたワニス塗布用ダイスを用いる方法や、導体断面形状が矩形である場合、井桁状に形成された「ユニバーサルダイス」と呼ばれるダイスを用いることができる。
これらの樹脂ワニスを塗布した導体は、常法にて、焼付炉で焼付けされる。具体的な焼付け条件はその使用される炉の形状などに左右されるが、およそ８ｍの自然対流式の竪型炉であれば、炉内温度４００〜６５０℃にて通過時間を１０〜９０秒に設定することにより、達成することができる。
【００８５】
樹脂ワニスの焼付けは、１回でも、数回繰り返してもよい。数回繰り返す場合は、同一の焼付け条件でもよく、異なる焼付け条件でもよい。
このようにして１層の内層を形成できる。内層を複数層形成する場合には、用いる樹脂ワニスを代えればよい。
【００８６】
次いで、内層を形成した導体の外周面上に、熱可塑性樹脂からなる絶縁被覆層を設ける。例えば、内層が形成された導体（エナメル線とも称す）を心線とし、押出機のスクリューを用いて熱可塑性樹脂をエナメル線上に押出被覆することにより絶縁被覆層を形成し、絶縁電線を得ることができる。この際、押出被覆樹脂層の断面の外形の形状が導体の形状と相似形で所定の辺部およびコーナー部の厚みが得られる形状になるように、熱可塑性樹脂の融点以上の温度（非晶性樹脂の場合にはガラス転移温度以上）で押出ダイを用いて熱可塑性樹脂の押出被覆を行う。熱可塑性樹脂層は、有機溶媒等と熱可塑性樹脂を用いて形成することもできる。
【００８７】
非晶性の熱可塑性樹脂を用いる場合には、押出成形の他に、有機溶媒等に溶解させたワニスを、導体の形状と相似形のダイスを使用して、エナメル線上にコーティングして焼付けて、形成することもできる。
ワニスの有機溶媒は、上記樹脂ワニスにおいて挙げた有機溶媒が好ましい。
また、具体的な焼付け条件はその使用される炉の形状などに左右されるが、熱硬化性樹脂における条件で記載した条件が好ましい。
【００８８】
本発明の絶縁電線は、各種電気機器など、耐高電圧性や曲げ加工性を必要とする分野に利用可能である。例えば、本発明の絶縁電線はコイル加工してモーターやトランスなどに用いられ、高性能の電気機器を構成できる。高電圧領域で使用される分布巻コイルおよび低・中電圧領域で使用される集中巻コイルのどちらにも好ましく用いられ、特に集中巻コイルに好ましく用いられる。具体的には、ＨＶやＥＶの駆動モーター用の巻線として好適に用いられる。
【実施例】
【００８９】
以下に、本発明を実施例に基づいて、さらに詳細に説明するが、これは本発明を制限するものではない。
【００９０】
実施例１
本例では、図１に示される絶縁電線１を製造した。
導体には、断面平角（長辺ｃ１：３．２ｍｍ×短辺ｃ２：１．７ｍｍで、四隅の面取りの曲率半径Ｒｃ＝０．３ｍｍ）の平角導体１１（酸素含有量１５ｐｐｍの銅）を用いた。
【００９１】
押出機のスクリューは、３０ｍｍフルフライト、Ｌ／Ｄ＝２０、圧縮比３を用いた。
熱可塑性樹脂はポリエーテルエーテルケトン樹脂（ＰＥＥＫ）（ビクトレックスジャパン社製、商品名：ＰＥＥＫ４５０Ｇ、２３℃での曲げ弾性率：４，２００ＭＰａ）を用い、絶縁被覆層の断面の外形の形状が導体の形状と相似形でかつ表１に記載の辺部およびコーナー部の厚みが得られる形状になるように、押出ダイを用いてＰＥＥＫの押出被覆を３７０℃で行い、導体の外周上に、長辺の厚さｔ１および短辺の厚さｔ２がともに、３０μｍで、４つのコーナー部の厚さｔ３が４０μｍで、曲率半径が０．３ｍｍの絶縁被覆層１２〔押出被覆樹脂層〕を形成し、ＰＥＥＫ押出被覆樹脂層からなる絶縁電線１を得た。
【００９２】
実施例２
本例では、図３に示される絶縁電線２を製造した。
導体には、断面平角（長辺ｃ１：４．５ｍｍ×短辺ｃ２：１．８ｍｍで、四隅の面取りの曲率半径Ｒｃ＝０．３ｍｍ）の平角導体１１（酸素含有量１５ｐｐｍの銅）を用いた。
【００９３】
内層１３の形成に際しては、導体１１上に形成される内層の形状と相似形のダイスを使用して、ポリアミドイミド樹脂（ＰＡＩ）ワニス（日立化成（株）社製、商品名：ＨＩ４０６）を導体１１へコーティングし、炉内温度５５０℃に設定した炉長８ｍの焼付炉内を、通過時間１５秒となる速度で通過させることで、厚さ３μｍの内層１３を形成し、内層１３を有するエナメル線を得た。
【００９４】
得られたエナメル線を芯線とし、押出機のスクリューは３０ｍｍフルフライト、Ｌ／Ｄ＝２０、圧縮比３を用いた。
熱可塑性樹脂は変性ポリエーテルエーテルケトン樹脂（変性ＰＥＥＫ）（ソルベイジャパン（株）社製、商品名：アバスパイア  ＡＶ−６５０）を用い、絶縁被覆層の断面の外形の形状が導体の形状と相似形でかつ表１に記載の辺部およびコーナー部の厚みが得られる形状になるように、押出ダイを用いて変性ＰＥＥＫの押出被覆を３７０℃で行い、導体の外周上に、長辺の厚さが３６μｍで、短辺の厚さが３４μｍで、４つのコーナー部の厚さが５０μｍで、曲率半径が０．３ｍｍの絶縁被覆層１２〔押出被覆樹脂層〕を形成し、変性ＰＥＥＫ押出被覆樹脂層からなる絶縁電線２を得た。
【００９５】
実施例３
本例では、図３に示される絶縁電線２を製造した。
導体１１には、表１に記載の長辺ｃ１および短辺ｃ２の長さならびにコーナー部の曲率半径Ｒｃを有する平角導体１１（酸素含有量１５ｐｐｍの銅）を用いた。
【００９６】
ポリアミドイミド樹脂（ＰＡＩ）ワニスに代えてポリイミド樹脂（ＰＩ）ワニス（ユニチカ（株）社製、商品名：Ｕイミド）を用いた以外は実施例２と同様にして、厚さ３μｍの内層１３を形成し、内層１３を有するエナメル線を得た。
得られたエナメル線を芯線とし、変性ポリエーテルエーテルケトン樹脂（変性ＰＥＥＫ）に代えてポリエーテルエーテルケトン樹脂（ＰＥＥＫ）（ビクトレックスジャパン社製、商品名：ＰＥＥＫ４５０Ｇ）を用いた以外は実施例２と同様にして、表１に記載の長辺、短辺およびコーナー部の厚さならびに曲率半径Ｒｒの絶縁被覆層１２を形成し、ＰＥＥＫ押出被覆樹脂層からなる絶縁電線２を得た。
【００９７】
実施例４
本例では、図１に示される絶縁電線１を製造した。
導体１１には、表１に記載の長辺ｃ１および短辺ｃ２の長さならびにコーナー部の曲率半径Ｒｃを有する平角導体１１（酸素含有量１５ｐｐｍの銅）を用いた。
【００９８】
ポリエーテルエーテルケトン樹脂（ＰＥＥＫ）に代えてポリエーテルケトン樹脂（ＰＥＫ）（ビクトレックスジャパン社製、商品名：ＨＴ-Ｇ２２）を用いた以外は実施例１と同様にして、表１に記載の長辺、短辺およびコーナー部の厚さならびに曲率半径Ｒｒの絶縁被覆層１２を形成し、ＰＥＫＫ押出被覆樹脂層からなる絶縁電線１を得た。
【００９９】
実施例５
本例では、図３に示される絶縁電線２を製造した。
導体１１には、表１に記載の長辺ｃ１および短辺ｃ２の長さならびにコーナー部の曲率半径Ｒｃを有する平角導体１１（酸素含有量１５ｐｐｍの銅）を用いた。
【０１００】
ポリアミドイミド樹脂（ＰＡＩ）ワニスに代えてポリエーテルイミド樹脂（ＰＥＩ）ワニス（ＳＡＢＩＣ社製、商品名：ウルテム１０００）を用いた以外は実施例２と同様にして、厚さ２μｍの内層１３を形成し、内層１３を有するエナメル線を得た。
得られたエナメル線を芯線とし、変性ポリエーテルエーテルケトン樹脂（変性ＰＥＥＫ）に代えて熱可塑性ポリイミド樹脂（ＴＰＩ）（三井化学社製、商品名：オーラムＰＬ４５０Ｃ）を用いた以外は実施例２と同様にして、表１に記載の長辺、短辺およびコーナー部の厚さならびに曲率半径Ｒｒの絶縁被覆層１２を形成し、ＰＥＥＫ押出被覆樹脂層からなる絶縁電線２を得た。
【０１０１】
実施例６
本例では、図３に示される絶縁電線２を製造した。
導体１１には、表１に記載の長辺ｃ１および短辺ｃ２の長さならびにコーナー部の曲率半径Ｒｃを有する平角導体１１（酸素含有量１５ｐｐｍの銅）を用いた。
【０１０２】
ポリアミドイミド樹脂（ＰＡＩ）ワニスに代えてポリエステルイミド樹脂（ＰＥｓＩ）ワニス（東特塗料（株）社製、商品名：ネオヒート８６００Ａ）を用いた以外は実施例２と同様にして、厚さ３μｍの内層１３を形成し、内層１３を有するエナメル線を得た。
得られたエナメル線を芯線とし、変性ポリエーテルエーテルケトン樹脂（変性ＰＥＥＫ）に代えて芳香族ポリアミド樹脂（芳香族ＰＡ）（ソルベイソルベイスペシャルティポリマーズ社製、商品名：アモデル  ＡＴ−１００１Ｌ）を用いた以外は実施例２と同様にして、表１に記載の長辺、短辺およびコーナー部の厚さならびに曲率半径Ｒｒの絶縁被覆層１２を形成し、ＰＥＥＫ押出被覆樹脂層からなる絶縁電線２を得た。
【０１０３】
実施例７
本例では、図１に示される絶縁電線１を製造した。
導体１１には、表１に記載の長辺ｃ１および短辺ｃ２の長さならびにコーナー部の曲率半径Ｒｃを有する平角導体１１（酸素含有量１５ｐｐｍの銅）を用いた。
【０１０４】
ポリエーテルエーテルケトン樹脂（ＰＥＥＫ）に代えて変性ポリエーテルエーテルケトン樹脂（変性ＰＥＥＫ）（ソルベイジャパン（株）社製、商品名：アバスパイア  ＡＶ−６５０）を用いた以外は実施例１と同様にして、表１に記載の長辺、短辺およびコーナー部の厚さならびに曲率半径Ｒｒの絶縁被覆層１２を形成し、ＰＰＳ押出被覆樹脂層からなる絶縁電線１を得た。
【０１０５】
実施例８
本例では、図１に示される絶縁電線１を製造した。
導体１１には、表１に記載の長辺ｃ１および短辺ｃ２の長さならびにコーナー部の曲率半径Ｒｃを有する平角導体１１（酸素含有量１５ｐｐｍの銅）を用いた。
【０１０６】
ポリエーテルエーテルケトン樹脂（ＰＥＥＫ）に代えてポリエチレンテレフタレート樹脂（ＰＥＴ）（帝人社製、商品名：ＴＲ８５５０Ｎ）を用いた以外は実施例１と同様にして、表１に記載の長辺、短辺およびコーナー部の厚さならびに曲率半径Ｒｒの絶縁被覆層１２を形成し、ＰＰＳ押出被覆樹脂層からなる絶縁電線１を得た。
【０１０７】
実施例９
本例では、図１に示される絶縁電線１を製造した。
導体１１には、表１に記載の長辺ｃ１および短辺ｃ２の長さならびにコーナー部の曲率半径Ｒｃを有する平角導体１１（酸素含有量１５ｐｐｍの銅）を用いた。
【０１０８】
ポリエーテルエーテルケトン樹脂（ＰＥＥＫ）に代えてポリフェニレンスルフィド樹脂（ＰＰＳ）（ＤＩＣ（株）社製、商品名：ＰＰＳ  ＦＺ−２１００）を用いた以外は実施例１と同様にして、表１に記載の長辺、短辺およびコーナー部の厚さならびに曲率半径Ｒｒの絶縁被覆層１２を形成し、ＰＰＳ押出被覆樹脂層からなる絶縁電線１を得た。
【０１０９】
比較例１
本例では、絶縁被覆層の長辺および短辺の厚さとコーナー部の厚さが同じで、式（１）の関係を満たさない以外は、図３に示される絶縁電線２の構造を有する絶縁電線を製造した。
導体には、表２に記載の長辺および短辺の長さならびにコーナー部の曲率半径を有する平角導体（酸素含有量１５ｐｐｍの銅）を用いた。
【０１１０】
実施例２と同様にして、厚さ３μｍの内層を形成し、内層を有するエナメル線を得た。
得られたエナメル線を芯線とし、変性ポリエーテルエーテルケトン樹脂（変性ＰＥＥＫ）に代えてポリエーテルエーテルケトン樹脂（ＰＥＥＫ）（ビクトレックスジャパン社製、商品名：ＰＥＥＫ４５０Ｇ）を用いた以外は実施例２と同様にして、表２に記載の長辺、短辺およびコーナー部の厚さならびに曲率半径Ｒｒの絶縁被覆層を形成し、式（１）の関係を満たさない絶縁電線を得た。
【０１１１】
比較例２
本例では、絶縁被覆層の長辺および短辺の厚さとコーナー部の厚さが式（１）の関係を満たさず、絶縁被覆層の長辺および短辺の厚さが厚く、絶縁電線断面積に対する導体断面積の比が式（２）の関係を満たさない以外は、図１に示される絶縁電線１の構造を有する絶縁電線を製造した。
導体には、表２に記載の長辺および短辺の長さならびにコーナー部の曲率半径を有する平角導体（酸素含有量１５ｐｐｍの銅）を用いた。
【０１１２】
ポリエーテルエーテルケトン樹脂（ＰＥＥＫ）に代えて変性ポリエーテルエーテルケトン樹脂（ＰＥＥＫ）（ソルベイジャパン（株）社製、商品名：アバスパイア  ＡＶ−６５０）を用いた以外は実施例１と同様にして、表２に記載の長辺、短辺およびコーナー部の厚さならびに曲率半径Ｒｒの絶縁被覆層を形成し、式（１）および式（２）の関係を満たさず、絶縁被覆層の長辺および短辺の厚さが厚い絶縁電線を得た。
【０１１３】
比較例３
本例では、絶縁被覆層の長辺および短辺の厚さとコーナー部の厚さが式（１）の関係を満たさない以外は、図１に示される絶縁電線１の構造を有する絶縁電線を製造した。
導体には、表２に記載の長辺および短辺の長さならびにコーナー部の曲率半径を有する平角導体（酸素含有量１５ｐｐｍの銅）を用いた。
【０１１４】
ポリエーテルエーテルケトン樹脂（ＰＥＥＫ）に代えてポリフェニレンスルフィド樹脂（ＰＰＳ）（ＤＩＣ（株）社製、商品名：ＰＰＳ  ＦＺ−２１００）を用いた以外は実施例１と同様にして、表２に記載の長辺、短辺およびコーナー部の厚さならびに曲率半径Ｒｒの絶縁被覆層を形成し、式（１）の関係を満たさない絶縁電線を得た。
【０１１５】
比較例４
本例では、絶縁電線断面積に対する導体断面積の比が式（２）の関係を満たさない以外は、図１に示される絶縁電線１の構造を有する絶縁電線を製造した。
導体には、表２に記載の長辺および短辺の長さならびにコーナー部の曲率半径を有する平角導体（酸素含有量１５ｐｐｍの銅）を用いた。
【０１１６】
ポリエーテルエーテルケトン樹脂（ＰＥＥＫ）に代えてポリエーテルケトン樹脂（ＰＥＫ）（ビクトレックスジャパン社製、商品名：ＨＴ-Ｇ２２）を用いた以外は実施例１と同様にして、表２に記載の長辺、短辺およびコーナー部の厚さならびに曲率半径Ｒｒの絶縁被覆層を形成し、式（２）の関係を満たさない絶縁電線を得た。
【０１１７】
比較例５
本例では、絶縁被覆層が熱硬化性樹脂からなり、絶縁被覆層の長辺および短辺の厚さとコーナー部の厚さが同じで、式（１）の関係を満たさず、絶縁被覆層の長辺の厚さが厚い以外は、図３に示される絶縁電線２の構造を有する絶縁電線を製造した。
導体には、表２に記載の長辺および短辺の長さならびにコーナー部の曲率半径を有する平角導体（酸素含有量１５ｐｐｍの銅）を用いた。
【０１１８】
ポリアミドイミド樹脂（ＰＡＩ）ワニスに代えてポリエーテルイミド樹脂（ＰＥＩ）ワニス（ＳＡＢＩＣ社製、商品名：ウルテム１０００）を用いた以外は実施例２と同様にして、厚さ３μｍの内層を形成し、内層を有するエナメル線を得た。
得られたエナメル線を芯線とし、変性ポリエーテルエーテルケトン樹脂（変性ＰＥＥＫ）に代えてポリアミドイミド樹脂（ＰＡＩ）ワニス（日立化成（株）社製、商品名：ＨＩ４０６）を用いた以外は実施例２と同様にして、表２に記載の長辺、短辺およびコーナー部の厚さならびに曲率半径Ｒｒの絶縁被覆層を形成し、絶縁被覆層が熱硬化性樹脂からなり、式（１）の関係を満たさず、絶縁被覆層の長辺の厚さが厚い絶縁電線を得た。
【０１１９】
比較例６
本例では、絶縁被覆層の長辺および短辺の厚さとコーナー部の厚さが式（１）の関係を満たさず、絶縁電線断面積に対する導体断面積の比が式（２）の関係を満たさず、絶縁被覆層の長辺および短辺の厚さが厚い以外は、図３に示される絶縁電線２の構造を有する絶縁電線を製造した。
導体には、表２に記載の長辺および短辺の長さならびにコーナー部の曲率半径を有する平角導体（酸素含有量１５ｐｐｍの銅）を用いた。
【０１２０】
ポリアミドイミド樹脂（ＰＡＩ）ワニスに代えてポリアミドイミド樹脂（ＰＡＩ）ワニス（日立化成（株）社製、商品名：ＨＩ４０６）を用いた以外は実施例２と同様にして、厚さ３μｍの内層を形成し、内層を有するエナメル線を得た。
得られたエナメル線を芯線とし、変性ポリエーテルエーテルケトン樹脂（変性ＰＥＥＫ）に代えてポリフェニレンスルフィド樹脂（ＰＰＳ）（ＤＩＣ（株）社製、商品名：ＰＰＳ  ＦＺ−２１００）を用いた以外は実施例２と同様にして、表２に記載の長辺、短辺およびコーナー部の厚さならびに曲率半径Ｒｒの絶縁被覆層を形成し、式（１）および式（２）の関係を満たさず、絶縁被覆層の長辺および短辺の厚さが厚い絶縁電線を得た。
【０１２１】
比較例７
本例では、絶縁被覆層の長辺および短辺の厚さが厚い以外は、図１に示される絶縁電線１の構造を有する絶縁電線を製造した。
導体には、表２に記載の長辺および短辺の長さならびにコーナー部の曲率半径を有する平角導体（酸素含有量１５ｐｐｍの銅）を用いた。
【０１２２】
実施例１と同様にして、表２に記載の長辺、短辺およびコーナー部の厚さならびに曲率半径Ｒｒの絶縁被覆層を形成し、絶縁被覆層の長辺および短辺の厚さが厚い絶縁電線を得た。
【０１２３】
上記のようにして製造した絶縁電線の各種特性は、下記の測定および評価によりを行った。
【０１２４】
［占積率］
占積率は、絶縁電線１の断面積Ｓｗ（ｍｍ２）に対する導体１１の断面積Ｓｃ（ｍｍ２）の比を意味する、導体占積率で評価した。
導体占積率が０．９０以上１．００未満の絶縁電線を、モーターの効率向上への効果が大きいとして「◎」、０．８５以上０．９０未満の絶縁電線を効果があるとして「○」、０．８０以上０．８５未満の絶縁電線を、効果は小さいものの効果があるとして「△」、０．８０未満の絶縁電線を、断面形状が円形の導体を用いた絶縁電線と比較して優位性がほとんどないものとして「×」とし、４段階で評価した。なお、「△」以上が合格レベルである。
【０１２５】
［エッジワイズ曲げ加工性］
エッジワイズ曲げ試験はＪＩＳ  ３２１６−３に従って実施した。
なお、各絶縁電線の曲げられる部分にフェザー剃刃Ｓ片刃（フェザー安全剃刀株式会社製）を用いて深さ５μｍの切込みを入れることで、より厳しい条件でのエッジワイズ曲げを実施した。切込みを入れた各絶縁電線を、それぞれ切込み部分が中心となるようにΦ１．５ｍｍのＳＵＳ製の棒に巻き付けることによって曲げて判断した。
絶縁被覆層が裂け、導体の面全体に進展した絶縁電線を「×」、絶縁被覆層に亀裂が進展したものの導体までは達していない絶縁電線を「△」、切込み部分も一緒に伸びて切込みが進展していなかい絶縁電線を「○」とし、３段階で評価した。なお、「△」以上が合格レベルである。
【０１２６】
［フラットワイズ曲げ加工性］
フラットワイズ曲げ試験はエッジワイズ曲げ加工性の試験を応用して実施した。
なお、各絶縁電線の曲げられる部分にフェザー剃刃Ｓ片刃（フェザー安全剃刀株式会社製）を用いて深さ５μｍの切込みを入れることで、より厳しい条件でのフラットワイズ曲げを実施した。切込みを入れた各絶縁電線を、それぞれ切込み部分が中心となるようにΦ１．５ｍｍのＳＵＳ製の棒に巻き付けることによって曲げて判断した。
絶縁被覆層が裂け、導体の面全体に進展した絶縁電線を「×」、絶縁被覆層に亀裂が進展したものの導体までは達していない絶縁電線を「△」、切込み部分も一緒に伸びて切込みが進展していなかい絶縁電線を「○」とし、３段階で評価した。なお、「△」以上が合格レベルである。
【０１２７】
［伸張後絶縁破壊強度］
絶縁電線の耐電圧特性は、オートグラフ（島津製作所社製）を用いて伸張速度３００ｍｍ／ｍｉｎで２０％伸張し、絶縁破壊試験機を使用して、電圧を測定して評価した。
具体的には、絶縁電線の片側の端末を剥離した部分に接地電極を接続し、端末を剥離した絶縁電線の端からの長さが３００ｍｍの部分にアルミ箔を巻き、巻き付けたアルミ箔に高圧側電極を接続した。昇圧速度５００Ｖ／秒で昇圧して、１５ｍＡ以上の電流が流れたときの電圧を読み取った。ｎ＝５で実施し、その平均値で絶縁破壊電圧を評価した。この値について「長辺の合計皮膜厚さ」と「短辺の皮膜厚さ」の平均値で除することで絶縁破壊強度を算出した。
１００Ｖ／μｍ以上を「◎」、８０Ｖ／μｍ以上１００Ｖ／μｍ未満を「○」、６０Ｖ／μｍ以上８０Ｖ／μｍ未満を「△」、６０Ｖ／μｍ未満を「×」とし、４段階で評価した。なお、「△」以上が合格レベルである。
【０１２８】
各絶縁電線の構成と評価結果を、下記表１および２にまとめて示す。
なお、総合評価は、２つ以上の◎評価があり、その他が○評価の場合のものを「◎」、すべての評価基準で○評価もしくは１つ以上の◎評価と△評価が混在したのものを「○」、１つ以上の△評価があり、その他が○評価のものを「△」、いずれかの評価で×判定となったものを「×」とし、４段階で評価した。なお、「△」以上が合格レベルである。
【０１２９】
【表１】
0005778332.tif 000002
【０１３０】
【表２】
0005778332.tif 000003
【０１３１】
表１および２における絶縁被覆層および内層の種類は、それぞれ以下の樹脂の略称を記載した。
【０１３２】
絶縁被覆層
・ＰＥＥＫ：ポリエーテルエーテルケトン樹脂（ビクトレックスジャパン社製、商品名：ＰＥＥＫ４５０Ｇ、２３℃での曲げ弾性率：４，２００ＭＰａ）
・変性ＰＥＥＫ：変性ポリエーテルエーテルケトン樹脂（ソルベイジャパン（株）社製、商品名：アバスパイアＡＶ−６５０、２３℃での曲げ弾性率：３，７００ＭＰａ）
・ＰＥＫＫ：ポリエーテルケトンケトン樹脂（サイテックインダストリーズ社製、２３℃での曲げ弾性率：４，５００ＭＰａ）
・ＰＥＫ：ポリエーテルケトン樹脂（ビクトレックスジャパン社製、商品名：ＨＴ-Ｇ２２、２３℃での曲げ弾性率：４，２００ＭＰａ）
・ＴＰＩ：熱可塑性ポリイミド樹脂（三井化学（株）社製、商品名：オーラムＰＬ４５０Ｃ、２３℃での曲げ弾性率：２，９００ＭＰａ）
・芳香族ＰＡ：芳香族ポリアミド樹脂（ソルベイソルベイスペシャルティポリマーズ社製、商品名：アモデル  ＡＴ−１００１Ｌ、２３℃での曲げ弾性率：２，２１０ＭＰａ）
・ＰＰＳ：ポリフェニレンスルフィド樹脂（ＤＩＣ（株）社製、商品名：ＰＰＳ  ＦＺ−２１００、２３℃での曲げ弾性率：３，８００ＭＰａ）
・ＰＥＴ：ポリエチレンテレフタレート樹脂（帝人社製、商品名：ＴＲ８５５０Ｎ、２３℃での曲げ弾性率：２，５００ＭＰａ）
・ＰＡＩ：ポリアミドイミド樹脂（日立化成（株）社製、商品名：ＨＩ４０６、２３℃での曲げ弾性率：４，９００ＭＰａ）
【０１３３】
内層
・ＰＡＩ：ポリアミドイミド樹脂ワニス（日立化成（株）社製、商品名：ＨＩ４０６）
・ＰＩ：ポリイミド樹脂ワニス（ユニチカ（株）社製、商品名：Ｕイミド）
・ＰＥＩ：ポリエーテルイミド樹脂ワニス（ＳＡＢＩＣ社製、商品名：ウルテム１０００）
・ＰＥｓＩ：ポリエステルイミド樹脂ワニス（東特塗料（株）社製、商品名：ネオヒート８６００Ａ）
【０１３４】
表１および２から明らかなように、特定の熱可塑性樹脂からなる絶縁被覆層を有し、絶縁被覆層の長辺および短辺の厚さとコーナー部の厚さが式（１）の関係にあり、絶縁被覆層の長辺および短辺が特定の厚さを有し、絶縁電線断面積に対する導体断面積の比が式（２）の関係にある実施例１〜９の絶縁電線は、占積率、エッジワイズおよびフラットワイズ曲げ加工性ならびに伸張後の絶縁破壊強度のいずれにも優れていた。
これに対して、絶縁被覆層の長辺および短辺の厚さとコーナー部の厚さが式（１）の関係を満たさない比較例１および３は、伸張後の絶縁破壊強度を満たさず、絶縁電線断面積に対する導体断面積の比が式（２）の関係を満たさない比較例４は占積率が不十分であり、絶縁被覆層の長辺および短辺の厚さが厚い比較例７は、エッジワイズおよびフラットワイズ曲げ加工性を満たさなかった。熱硬化性樹脂からなる絶縁被覆層を有し、式（１）の関係を満たさない比較例５は、フラットワイズ曲げ加工性および伸張後の絶縁破壊強度を満たさなかった。
また、式（１）の関係を満たさず、絶縁被覆層の長辺の厚さが厚い比較例５は、フラットワイズ曲げ加工性および伸張後の絶縁破壊強度を満たなかった。絶縁被覆層の長辺および短辺の厚さが厚く、式（２）の関係を満たさない比較例６は、占積率、エッジワイズおよびフラットワイズ曲げ加工性を満たさなかった。また、式（１）および（２）の関係を満たさず、絶縁被覆層の長辺および短辺の厚さが厚い比較例２は、占積率、エッジワイズおよびフラットワイズ曲げ加工性ならびに伸張後の絶縁破壊強度のいずれも満たさなかった。
【０１３５】
以上より、本発明の絶縁電線を用いたモーターコイルおよび電子もしくは電気機器は、巻線加工時の曲げ加工による絶縁電線の絶縁被覆層の割れを低減することができ、伸張後も導体のコーナー部の絶縁破壊強度が維持され、占積率にも優れるため、小型化および高性能化が可能になる。
【符号の説明】
【０１３６】
１、２  絶縁電線
１１  導体
１２  絶縁被覆層
１３  内層
Ｒｃ  導体断面のコーナー部における曲率半径
ｃ１  導体断面の長辺の長さ
ｃ２  導体断面の短辺の長さ
ｔ１  長辺の辺部に被覆された絶縁被覆層の厚さ
ｔ２  短辺の辺部に被覆された絶縁被覆層の厚さ
ｔ３  絶縁被覆層のコーナー部の厚さ
【要約】
【課題】高占積率を有し、かつエッジワイズ及びフラットワイズ曲げ加工性並びに伸張後の絶縁破壊強度にも優れる絶縁電線、それを用いたコイル及び電子・電気機器を提供する。
【解決手段】断面形状が矩形であって、曲率半径Ｒｃのコーナー部を有する導体の外周上に、熱可塑性樹脂からなる絶縁被覆層を有する絶縁電線であって、
前記導体断面の長辺の辺部に被覆された前記絶縁被覆層の厚さｔ１（μｍ）および短辺の辺部に被覆された前記絶縁被覆層の厚さｔ２（μｍ）ならびに前記絶縁被覆層のコーナー部の厚さｔ３（μｍ）が下記式（１）の関係にあり、
式（１）        ｔ３／｛（ｔ１＋ｔ２）／２｝≧１．２
前記ｔ１（μｍ）及びｔ２（μｍ）が各々独立に２０μｍ以上５０μｍ以下であり、
かつ、前記絶縁電線断面積Ｓｗ（ｍｍ２）に対する前記導体断面積Ｓｃ（ｍｍ２）の比が下記式（２）の関係にあることを特徴とする絶縁電線、それを用いたコイル及び電子・電気機器。
式（２）        １．０＞Ｓｃ／Ｓｗ≧０．８
【選択図】図１【図１】
0005778332.tif 000004
【図２】
0005778332.tif 000005
【図３】
0005778332.tif 000006